(57)【要約】【課題】複数本のサスペンションワイヤでレンズホルダ部を支持する対物レンズ駆動装置で、サスペンションワイヤに対する接着強度を向上させる。【解決手段】対物レンズ５を保持するレンズホルダ部３は、４本のサスペンションワイヤ２のそれぞれ一端側に支持され、フォーカス方向およびトラッキング方向に移動可能となっている。各サスペンションワイヤ２の表面には微細な凹凸面２ａが形成される。各サスペンションワイヤ２をレンズホルダ部３および固定部材４に固定している接着剤１１が、この凹凸面２ａの凹んだ部分に入り込んで硬化することでアンカー効果を得て、接着強度を向上させる。【選択図】        図１
2004318922.tif 000002
【特許請求の範囲】
【請求項１】
対物レンズと、
前記対物レンズを保持するレンズ支持部材と、
前記レンズ支持部材をそれぞれ一端側に支持する複数本の線状の弾性支持部材と、
前記各弾性支持部材の他端側を支持する固定部材と、
前記レンズ支持部材をトラッキング方向およびフォーカス方向に駆動する駆動手段とを備え、
前記各弾性支持部材は、接着手段により前記レンズ支持部材および前記固定部材に固定され、
前記各弾性支持部材の少なくとも前記一端側の表面および前記他端側の表面には、前記接着手段が入り込んで硬化する表面粗さを有する凹凸面が形成された
ことを特徴とする対物レンズ駆動装置。
【請求項２】
前記凹凸面は、表面が粗面となるめっき層で構成された
ことを特徴とする請求項１記載の対物レンズ駆動装置。
【請求項３】
前記凹凸面は、多数のピンホールが形成されためっき層で構成された
ことを特徴とする請求項１記載の対物レンズ駆動装置。
【請求項４】
前記凹凸面は、前記弾性支持部材の表面をエッチングにより粗面化して構成された
ことを特徴とする請求項１記載の対物レンズ駆動装置。
【請求項５】
前記凹凸面は、０．０９μｍ以上の表面粗さを持たせた
ことを特徴とする請求項１記載の対物レンズ駆動装置。
【請求項６】
対物レンズと、
前記対物レンズを保持するレンズ支持部材と、
前記レンズ支持部材をそれぞれ一端側に支持する複数本の線状の弾性支持部材と、
前記各弾性支持部材の他端側を支持する固定部材と、
前記レンズ支持部材をトラッキング方向およびフォーカス方向に駆動する駆動手段とを備えた対物レンズ駆動装置を有し、
前記各弾性支持部材は、接着手段により前記レンズ支持部材および前記固定部材に固定され、
前記各弾性支持部材の少なくとも前記一端側の表面および前記他端側の表面には、前記接着手段が入り込んで硬化する表面粗さを有する凹凸面が形成された
ことを特徴とする光ピックアップ装置。
【請求項７】
前記凹凸面は、表面が粗面となるめっき層で構成された
ことを特徴とする請求項６記載の光ピックアップ装置。
【請求項８】
前記凹凸面は、多数のピンホールが形成されためっき層で構成された
ことを特徴とする請求項６記載の光ピックアップ装置。
【請求項９】
前記凹凸面は、前記弾性支持部材の表面をエッチングにより粗面化して構成された
ことを特徴とする請求項６記載の光ピックアップ装置。
【請求項１０】
前記凹凸面は、０．０９μｍ以上の表面粗さを持たせた
ことを特徴とする請求項６記載の光ピックアップ装置。
【請求項１１】
記録媒体に光スポットを照射するための対物レンズと、
前記対物レンズを保持するレンズ支持部材と、
前記レンズ支持部材をそれぞれ一端側に支持する複数本の線状の弾性支持部材と、
前記各弾性支持部材の他端側を支持する固定部材と、
前記レンズ支持部材をトラッキング方向およびフォーカス方向に駆動する駆動手段とを備えた光ピックアップ装置を有し、
前記各弾性支持部材は、接着手段により前記レンズ支持部材および前記固定部材に固定され、
前記各弾性支持部材の少なくとも前記一端側の表面および前記他端側の表面には、前記接着手段が入り込んで硬化する表面粗さを有する凹凸面が形成された
ことを特徴とするディスクドライブ装置。
【請求項１２】
前記凹凸面は、表面が粗面となるめっき層で構成された
ことを特徴とする請求項１１記載のディスクドライブ装置。
【請求項１３】
前記凹凸面は、多数のピンホールが形成されためっき層で構成された
ことを特徴とする請求項１１記載のディスクドライブ装置。
【請求項１４】
前記凹凸面は、前記弾性支持部材の表面をエッチングにより粗面化して構成された
ことを特徴とする請求項１１記載のディスクドライブ装置。
【請求項１５】
前記凹凸面は、０．０９μｍ以上の表面粗さを持たせた
ことを特徴とする請求項１１記載のディスクドライブ装置。
【発明の詳細な説明】
【０００１】
【発明の属する技術分野】
本発明は、対物レンズを保持し、トラッキング方向およびフォーカス方向に駆動されるレンズ支持部材を、複数本の線状の弾性支持部材で固定部材に支持した対物レンズ駆動装置、およびこの対物レンズ駆動装置を備えた光ピックアップ装置とディスクドライブ装置に関する。詳しくは、弾性支持部材の表面に凹凸面を形成して、接着手段で固定される弾性支持部材とレンズ支持部材および固定部材との接着強度を向上させるものである。
【０００２】
【従来の技術】
ＤＶＤ（ｄｉｇｉｔａｌ  ｖｅｒｓａｔｉｌｅ  ｄｉｓｋ）等の記録媒体（以下、光ディスクとも称す）に対して信号の再生あるいは記録を行う光ピックアップ装置は、光スポットを光ディスクのトラック上に合焦点するため、対物レンズを光ディスクの面に対して昇降させるフォーカス駆動機構が備えられる。また、光スポットを光ディスクのトラックに追従させるため、対物レンズを光ディスクの径方向（トラックの法線方向）に移動させるトラッキング駆動機構が備えられる。
【０００３】
このように、対物レンズを２次元に駆動する対物レンズ駆動装置は二軸アクチュエータと称される。二軸アクチュエータとしては、対物レンズを保持するレンズホルダ部を、４本のサスペンションワイヤで固定部材に支持する構成のものがある。
【０００４】
サスペンションワイヤを用いてレンズホルダ部を支持する構成では、各サスペンションワイヤの一端側にレンズホルダ部が支持され、各サスペンションワイヤの他端側が固定部材に支持される。これにより、レンズホルダ部は、固定部材に対してフォーカス方向およびトラッキング方向に移動自在に支持されることになる。
【０００５】
さて、一般的に、サスペンションワイヤとレンズホルダ部との固定、およびサスペンションワイヤと固定部材との固定は、接着剤を用いて行われていた（例えば、特許文献１参照。）。
【０００６】
【特許文献１】
特開２００２−３６７１９９号公報
【０００７】
【発明が解決しようとする課題】
サスペンションワイヤでレンズホルダ部を支持する構成の二軸アクチュエータでは、サスペンションワイヤは、レンズホルダ部に設けたフォーカスコイルおよびトラッキングコイルへの給電手段としても機能する。
【０００８】
このため、サスペンションワイヤは、フォーカスコイルと接続した端子と、トラッキングコイルと接続した端子等に半田付けされる。半田との濡れ性を向上させるため、サスペンションワイヤに錫めっきを施してある。
【０００９】
しかしながら、一般的な光沢のある錫めっきを施したサスペンションワイヤでは、接着強度が十分に取れず、衝撃等でサスペンションワイヤが抜けてしまうという問題があった。これにより、レンズホルダ部の取付位置がずれてしまい、光ディスクからの信号の再生や光ディスクへの信号の記録が正常に行えなくなる可能性があった。
【００１０】
本発明は、このような課題を解決するためになされたもので、サスペンションワイヤに対する接着強度を向上させた対物レンズ駆動装置、この対物レンズ駆動装置を備えた光ピックアップ装置およびディスクドライブ装置を提供することを目的とする。
【００１１】
【課題を解決するための手段】
上述した課題を解決するため、本発明に係る対物レンズ駆動装置は、対物レンズと、対物レンズを保持するレンズ支持部材と、レンズ支持部材をそれぞれ一端側に支持する複数本の線状の弾性支持部材と、各弾性支持部材の他端側を支持する固定部材と、レンズ支持部材をトラッキング方向およびフォーカス方向に駆動する駆動手段とを備え、各弾性支持部材は、接着手段によりレンズ支持部材および固定部材に固定され、各弾性支持部材の少なくとも一端側の表面および他端側の表面には、接着手段が入り込んで硬化する表面粗さを有する凹凸面が形成されたものである。
【００１２】
本発明に係る対物レンズ駆動装置では、対物レンズを保持するレンズ支持部材は、複数本の弾性支持部材のそれぞれ一端側に支持され、駆動手段よってフォーカス方向およびトラッキング方向に移動する。
【００１３】
この弾性支持部材のレンズ支持部材を支持する一端側の表面と、固定部材に支持される他端側の表面には微細な凹凸面が形成される。弾性支持部材をレンズ支持部材および固定部材に固定している接着手段は、この凹凸面の凹んだ部分に入り込んで硬化している。
【００１４】
これにより、接着手段と弾性支持部材はアンカー効果によって強固に結合し、弾性支持部材とレンズ支持部材および固定部材との接着強度が向上する。したがって耐衝撃性の向上した対物レンズ駆動装置が提供できる。
【００１５】
本発明に係る光ピックアップ装置は、上述したように耐衝撃性を向上させた対物レンズ駆動装置を組み込んだものである。すなわち、対物レンズと、対物レンズを保持するレンズ支持部材と、レンズ支持部材をそれぞれ一端側に支持する複数本の線状の弾性支持部材と、各弾性支持部材の他端側を支持する固定部材と、レンズ支持部材をトラッキング方向およびフォーカス方向に駆動する駆動手段とを備えた対物レンズ駆動装置を有し、各弾性支持部材は、接着手段によりレンズ支持部材および固定部材に固定され、各弾性支持部材の少なくとも一端側の表面および他端側の表面には、接着手段が入り込んで硬化する表面粗さを有する凹凸面が形成されたものである。
【００１６】
また、本発明に係るディスクドライブ装置は、この耐衝撃性を向上させた対物レンズ駆動装置を組み込んだ光ピックアップ装置を備えたものである。すなわち、記録媒体に光スポットを照射するための対物レンズと、対物レンズを保持するレンズ支持部材と、レンズ支持部材をそれぞれ一端側に支持する複数本の線状の弾性支持部材と、各弾性支持部材の他端側を支持する固定部材と、レンズ支持部材をトラッキング方向およびフォーカス方向に駆動する駆動手段とを備えた光ピックアップ装置を有し、各弾性支持部材は、接着手段によりレンズ支持部材および固定部材に固定され、各弾性支持部材の少なくとも一端側の表面および他端側の表面には、接着手段が入り込んで硬化する表面粗さを有する凹凸面が形成されたものである。
【００１７】
本発明に係る光ピックアップ装置およびディスクドライブ装置では、外部からの衝撃等によってレンズ支持部材の取付位置がずれることはない。したがって、記録媒体に対して信号を確実に記録できるとともに、記録媒体の信号を確実に再生することができる。
【００１８】
【発明の実施の形態】
以下、図面を参照して本発明の対物レンズ駆動装置、光ピックアップ装置およびディスクドライブ装置の実施の形態について説明する。図１は本実施の形態の対物レンズ駆動装置の構成例を示す斜視図である。
【００１９】
本実施の形態の対物レンズ駆動装置１は、弾性支持部材としてのサスペンションワイヤ２により、レンズ支持部材であるレンズホルダ部３を固定部材４に支持する構成の二軸アクチュエータである。
【００２０】
図２はサスペンションワイヤの構成例を示す断面図である。サスペンションワイヤ２は、ベリリウム銅線（Ｂｅ−Ｃｕ）等の導電性および弾性を有する材質で構成される。このサスペンションワイヤ２の表面に、微細な凹凸面２ａが形成される例えばめっき層２ｂを設けることで、サスペンションワイヤ２と、レンズホルダ部３および固定部材４との接着強度を向上させたものである。
【００２１】
まず、図１を用いて対物レンズ駆動装置１の全体構成から説明すると、レンズホルダ部３は、対物レンズ５と、この対物レンズ５の取付部およびサスペンションワイヤ２が取り付けられるワイヤ支持部６を備えたホルダ７と、ホルダ７の外周に図示しない光ディスクの面に対して水平に巻かれたフォーカスコイル８と、光ディスクのトラックの接線方向に沿ってホルダ７の前後に設けられた一対のトラッキングコイル９等を備える。
【００２２】
レンズホルダ部３は４本のサスペンションワイヤ２で固定部材４に支持される。これら４本のサスペンションワイヤ２に対応して、ホルダ７には、両側部に２箇所ずつ、計４箇所にワイヤ支持部６が設けられる。また、固定部材４には、４本のサスペンションワイヤ２に対応して両側部側に２箇所ずつ、計４箇所にワイヤ支持部１０が設けられる。
【００２３】
そして、サスペンションワイヤ２の一方の端部側が、接着手段としての接着剤１１によりワイヤ支持部６に固定され、他方の端部側が接着剤１１によりワイヤ支持部１０に固定される。
【００２４】
ここで、フォーカス方向に並ぶサスペンションワイヤ２同士の間は、互いが平行となるように張られる。これに対して、トラッキング方向に並ぶサスペンションワイヤ２同士の間は、レンズホルダ部３側の間隔が狭く、固定部材４側の間隔が広いハの字型に張られる。なお、トラッキング方向に並ぶサスペンションワイヤ２同士の間も、互いが平行となるように張られる構成でもよい。
【００２５】
ホルダ７の側部には、フォーカスコイル８へ給電する端子１２とトラッキングコイル９に給電する端子１３が設けられる。４本のサスペンションワイヤ２のうちの２本は、フォーカスコイル８へ制御信号を印加するための給電手段として機能し、残りの２本のサスペンションワイヤ２は、トラッキングコイル９へ制御信号を印加するための給電手段として機能する。このため、ワイヤ支持部６に固定されたサスペンションワイヤ２の一方の端部は、端子１２あるいは端子１３まで延在しており、サスペンションワイヤ２は対応する端子１２あるいは端子１３に半田付けされる。
【００２６】
固定部材４のレンズホルダ部３を支持する側と反対の背面には基板１４が取り付けられる。この基板１４上の図示しないパターンと各サスペンションワイヤ２の他方の端部が半田付けにより接続される。これにより、基板１４からサスペンションワイヤ２によってフォーカスコイル８およびトラッキングコイル９へ給電が行われる。
【００２７】
ヨークベース部１５は、図示しない光ディスクのトラックの接線方向に沿って一対のヨーク１５ａが設けられ、各ヨーク１５ａに一対のマグネット１６が互いに対向して取り付けられる。この対向するマグネット１６の間に、各マグネット１６とトラッキングコイル９が対向する向きでレンズホルダ部３が配置される。これらヨークベース部１５、マグネット１６、フォーカスコイル８およびトラッキングコイル９等で駆動手段が構成される。なお、ヨークベース部１５には、図示しないレーザ光が通る光路となる開口部が設けられる。
【００２８】
上述した構成の対物レンズ駆動装置１は、図示しないが、半導体レーザなどの発光素子、フォトダイオード等の受光素子、ビームスプリッタ等を備えた光ピックアップ装置に組み込まれる。また、光ピックアップ装置は、光ディスクを回転駆動する機構、および光ピックアップ装置を駆動するスライド送り機構等を備えたディスクドライブ装置に組み込まれる。
【００２９】
次に、レンズホルダ部３のフォーカス制御およびトラッキング制御について説明する。フォーカスコイル８に再生信号から生成したフォーカス制御信号が印加されると、このコイルに流れる電流と、ヨーク１５ａと一対のマグネット１６とによって形成された磁界による力で、レンズホルダ部３を電流の向きに応じて上昇あるいは下降させる方向の力が生じる。レンズホルダ部３は、４本のサスペンションワイヤ２の一端側に支持されているので、レンズホルダ部３は、昇降する方向の力を受けると、図示しない光ディスクに対して平行な姿勢を保ったまま上下に昇降する。これにより、対物レンズ５が光軸に沿った方向にフォーカス制御され、対物レンズ５からの光スポットが光ディスクのトラック上に合焦点される。
【００３０】
また、トラッキングコイル９に再生信号から生成したトラッキング制御信号が印加されると、このコイルに流れる電流と、ヨーク１５ａと一対のマグネット１６とによって形成された磁界による力で、レンズホルダ部３を電流の向きに応じて図示しない光ディスクの内周方向（ここでは左方向とする）、あるいは光ディスクの外周方向（ここでは右方向とする）へ移動させる力が生じる。レンズホルダ部３は、左右へ移動する方向の力を受けると、光ディスクのトラックの法線方向とほぼ平行にスライドする。これにより対物レンズ５が光ディスクの径方向にトラッキング制御され、対物レンズ５からの光スポットが所望のトラックをトレースすることができる。
【００３１】
次にワイヤ支持部の詳細について説明する。図３はワイヤ支持部の構成例を示す拡大斜視図で、図３（ａ）はサスペンションワイヤ２が固定された状態、図３（ｂ）はサスペンションワイヤ２を固定する前の状態を示す。ここで、図３はレンズホルダ部３側のワイヤ支持部６を例に図示しているが、固定部材４側のワイヤ支持部１０も同様の構成である。
【００３２】
ワイヤ支持部６，１０は、図３（ｂ）に示すように、サスペンションワイヤ２の延在方向に沿って開口した溝部１７を備える。この溝部１７の側壁には、一部を窪ませた段差部１７ａが設けられる。
【００３３】
ワイヤ支持部６，１０は、溝部１７にサスペンションワイヤ２を入れ、図３（ａ）に示すように、この溝部１７に接着剤１１を充填することで、サスペンションワイヤ２が固定される。接着剤１１としては、例えば、ＵＶ（紫外線硬化型）エポキシ接着剤が用いられる。
【００３４】
次に、サスペンションワイヤ２の詳細について説明する。サスペンションワイヤ２は、直径が０．０６〜０．１ｍｍ程度のベリリウム銅線の表面に、微細な凹凸面２ａを形成したものである。この凹凸面２ａは、いわゆるアンカー効果が得られるような表面粗さを持たせる。
【００３５】
図４はアンカー効果の概念を示す説明図で、この図４はサスペンションワイヤ２と接着剤１１の接合箇所を模式的に示す拡大断面図である。図３で説明したように、ワイヤ支持部６，１０を構成する溝部１７にサスペンションワイヤ２を入れ、この溝部１７に接着剤１１を充填すると、サスペンションワイヤ２の表面に所定の表面粗さを持つ凹凸面２ａが形成されている場合、図４に示すように、接着剤１１は凹凸面２ａの凹んだ部分に入り込んで硬化する。これにより、サスペンションワイヤ２は接着剤１１から抜けにくい状態となる。このような効果をアンカー効果と呼ぶ。図４において矢印はサスペンションワイヤ２の延在方向を示すが、サスペンションワイヤ２の延在方向に沿った力が加わっても、硬化した接着剤１１と凹凸面２ａのかみ合いで、サスペンションワイヤ２は抜けにくい状態であり、接着強度が向上する。
【００３６】
このため、凹凸面２ａは、サスペンションワイヤ２の接着剤１１と接触する部位である一端側と他端側の表面に少なくとも形成されていればよいが、全面に形成されていてもよい。
【００３７】
以下に、サスペンションワイヤ２の実施例について説明する。図５は実施例１としてアンカーめっきを行ったサスペンションワイヤの顕微鏡写真である。ここで、図５は、サスペンションワイヤ２の表面を走査型電子顕微鏡（ＳＥＭ）で観察した際の顕微鏡写真を模式的に示すもので、図５（ａ）は、倍率を５００倍とした場合の電子顕微鏡写真、図５（ｂ）は、倍率を２０００倍とした場合の電子顕微鏡写真である。
【００３８】
図５に示す実施例１のサスペンションワイヤ２は、図２に示すめっき層２ｂを形成するためにベリリウム銅線に錫めっきを施す際、めっき浴中の金属イオン濃度を高くすることで、めっき層２ｂの表面にアンカー効果が得られるような表面粗さを持つ凹凸面２ａが形成されるようにしたものである。このように、表面に積極的に凹凸面２ａが形成されるようにしためっきをアンカーめっきと称す。なお、図２においてめっき層２ｂの厚さや凹凸面２ａの表面粗さは模式的に示したものである。
【００３９】
表１は、サスペンションワイヤ２をワイヤ支持部６，１０から引き抜くのに必要な抜去力の実験結果を示す。
【００４０】
【表１】
2004318922.tif 000003
【００４１】
アンカーめっきによるめっき層２ｂを設けた実施例１のサスペンションワイヤ２では、平均して１０Ｎ（ニュートン）以上の抜去力が必要であった。この実施例１のサスペンションワイヤ２の凹凸面２ａの表面粗さ（中心線平均粗さＲａ）を測定したところ、Ｒａ＝０．３２３μｍであった。
【００４２】
図６は従来例として一般的な光沢のある錫めっきを行ったサスペンションワイヤの顕微鏡写真である。ここで、図６（ａ）は、倍率を５００倍とした場合の電子顕微鏡写真、図６（ｂ）は、倍率を２０００倍とした場合の電子顕微鏡写真である。
【００４３】
この従来例のサスペンションワイヤでは、表１に示すように、３Ｎ前後の抜去力でワイヤ支持部から抜けてしまうことが判る。光沢めっきを施した従来例のサスペンションワイヤの表面粗さを測定したところ、Ｒａ＝０．０４５μｍであった。
【００４４】
比較例として、ベリリウム銅線に一般的に無光沢めっきと呼ばれる錫めっきを施したサスペンションワイヤを図７に示す。すなわち、図７は比較例として無光沢めっきを行ったサスペンションワイヤの顕微鏡写真である。ここで、図７（ａ）は、倍率を５００倍とした場合の電子顕微鏡写真、図７（ｂ）は、倍率を２０００倍とした場合の電子顕微鏡写真である。この比較例のサスペンションワイヤでは、表１に示すように、ワイヤ支持部から引き抜くためには８Ｎ前後の抜去力が必要であった。この比較例のサスペンションワイヤの表面粗さを測定したところ、Ｒａ＝０．０９６μｍであった。
【００４５】
以上のことから、サスペンションワイヤ２の表面に、表面粗さが少なくとも０．１μｍ前後の凹凸面２ａを形成すれば、接着剤１１が凹凸面２ａの凹部に入り込んで硬化することでアンカー効果が得られ、十分な接着強度が得られることが判る。
【００４６】
次に、サスペンションワイヤ２の他の実施例について説明する。図８は実施例２としてピンホールを形成したサスペンションワイヤ２の顕微鏡写真である。ここで、図８（ａ）は、倍率を５００倍とした場合の電子顕微鏡写真、図８（ｂ）は、倍率を２０００倍とした場合の電子顕微鏡写真である。この実施例２のサスペンションワイヤ２は、ベリリウム銅線に光沢のある錫めっきを施す際に、微細なピンホールが多数形成されるようにしたものである。
【００４７】
図９は実施例３としてエッチングを行ったサスペンションワイヤ２の顕微鏡写真である。ここで、図９（ａ）は、倍率を５００倍とした場合の電子顕微鏡写真、図９（ｂ）は、倍率を２０００倍とした場合の電子顕微鏡写真である。この実施例３のサスペンションワイヤ２は、ベリリウム銅線をエッチング液に浸すことで表面を粗面化したものである。
【００４８】
図１０は実施例４として条痕を形成したサスペンションワイヤ２の顕微鏡写真である。ここで、図１０は、倍率を５００倍とした場合の電子顕微鏡写真である。この実施例４のサスペンションワイヤ２は、ベリリウム銅線の表面に、回転ダイスあるいは回転ブレード等の機械加工により、０．１〜２ｍｍ間隔のらせん状の溝（条痕）を形成したものである。上述した実施例２〜実施例４のサスペンションワイヤ２では、表１に示すように、ワイヤ支持部から引き抜くためには９Ｎ前後の抜去力が必要であった。
【００４９】
以上説明したように、サスペンションワイヤ２でレンズホルダ部３を支持する構成の対物レンズ駆動装置１において、サスペンションワイヤ２の表面に、接着剤１１が入り込んで硬化することでアンカー効果が得られるような微細な凹凸面２ａを形成することで、サスペンションワイヤ２に対する接着強度が向上する。
【００５０】
これにより、衝撃等が加わっても、レンズホルダ部３側のワイヤ支持部６や固定部材４側のワイヤ支持部１０からサスペンションワイヤ２が抜けることが防止され、耐衝撃性が向上した対物レンズ駆動装置１を提供できる。特に実施例１のサスペンションワイヤ２では、ワイヤ支持部から引き抜くのに１０Ｎ以上の抜去力が必要であり、この実施例１のサスペンションワイヤ２を備えた対物レンズ駆動装置１では、耐衝撃性が極めて向上する。また、実施例２〜４のサスペンションワイヤ２でも、ワイヤ支持部から引き抜くのに９Ｎ前後の抜去力が必要であり、実施例２〜４のサスペンションワイヤ２を備えた対物レンズ駆動装置１でも、従来と比較して耐衝撃性が向上している。
【００５１】
さて、上述した実施例２〜４のサスペンションワイヤ２では、９Ｎ前後の抜去力が必要であり、実施例１のサスペンションワイヤ２で必要な抜去力（１０Ｎ前後）と比較例のサスペンションワイヤで必要な抜去力（８Ｎ前後）の間に収まっている。
【００５２】
上述した実施例１のサスペンションワイヤ２の凹凸面２ａの表面粗さはＲａ＝０．３２３μｍであった。これに対して、比較例のサスペンションワイヤの表面粗さはＲａ＝０．０９６μｍであった。
【００５３】
したがって、従来例（Ｒａ＝０．０４５μｍ）と比較すると、サスペンションワイヤ２の凹凸面２ａの表面粗さとしては、０．０９μｍ以上の値が得られれば良いことが判る。
【００５４】
このような対物レンズ駆動装置１を組み込んだ光ピックアップ装置およびディスクドライブ装置では、外部からの衝撃等によってレンズホルダ部３の取付位置がずれることはない。したがって、光ディスクに対して信号を確実に記録できるとともに、光ディスクの信号を確実に再生することができる。
【００５５】
ここで、実施例１のサスペンションワイヤ２のように、凹凸面２ａを錫めっきで形成することで、半田との濡れ性も良い。このため、サスペンションワイヤ２を図１に示す端子１２，１３、および基板１４の図示しないパターンに半田付けする際の作業性もよく、かつ確実な半田付けが行われる。したがって、通電不良等の障害が発生することもない。よって、接着強度の向上と半田との濡れ性の向上の両立を図ることができる。
【００５６】
なお、図３に示すように、ワイヤ支持部６，１０は、溝部１７の側壁に段差部１７ａが設けてあるので、接着剤１１が段差部１７ａに入り込んで硬化することで、サスペンションワイヤ２の延在方向に沿った方向にかかる力に対して抗する構成となる。これにより、サスペンションワイヤ２が接着剤１１ごとワイヤ支持部６，１０から抜けるということも防止される。
【００５７】
接着手段の他の例としては、ホルダ７を成形する際に、ワイヤ支持部６にサスペンションワイヤ２を入れて一体に成形するインサート成形と呼ばれるものでもよい。この場合も、ホルダ７を構成する樹脂がサスペンションワイヤ２の凹凸面２ａの凹部に入り込んで硬化することで、アンカー効果が得られ、耐衝撃性が向上する。
【００５８】
【発明の効果】
以上説明したように、本発明は、対物レンズと、対物レンズを保持するレンズ支持部材と、レンズ支持部材をそれぞれ一端側に支持する複数本の線状の弾性支持部材と、各弾性支持部材の他端側を支持する固定部材と、レンズ支持部材をトラッキング方向およびフォーカス方向に駆動する駆動手段とを備え、各弾性支持部材は、接着手段によりレンズ支持部材および固定部材に固定され、各弾性支持部材の少なくとも一端側の表面および他端側の表面には、接着手段が入り込んで硬化する表面粗さを有する凹凸面が形成された対物レンズ駆動装置である。
【００５９】
これにより、接着手段と弾性支持部材はアンカー効果によって強固に結合し、弾性支持部材とレンズ支持部材および固定部材との接着強度が向上する。したがって耐衝撃性の向上した対物レンズ駆動装置を提供できる。
【００６０】
本発明に係る光ピックアップ装置およびディスクドライブ装置は、上述したように耐衝撃性を向上させた対物レンズ駆動装置を組み込むことで、外部からの衝撃等によってレンズ支持部材の取付位置がずれること等を防ぎ、記録媒体に対して信号を確実に記録できるとともに、記録媒体の信号を確実に再生することができる。
【図面の簡単な説明】
【図１】本実施の形態の対物レンズ駆動装置の構成例を示す斜視図である。
【図２】サスペンションワイヤの構成例を示す断面図である。
【図３】ワイヤ支持部の構成例を示す拡大斜視図である。
【図４】アンカー効果の概念を示す説明図である。
【図５】アンカーめっきを行ったサスペンションワイヤの顕微鏡写真である（実施例１）。
【図６】光沢めっきを行ったサスペンションワイヤの顕微鏡写真である（従来例）。
【図７】無光沢めっきを行ったサスペンションワイヤの顕微鏡写真である（比較例）。
【図８】ピンホールを形成したサスペンションワイヤの顕微鏡写真である（実施例２）。
【図９】エッチングを行ったサスペンションワイヤの顕微鏡写真である（実施例３）。
【図１０】条痕を形成したサスペンションワイヤの顕微鏡写真である（実施例４）。
【符号の説明】
１・・・対物レンズ駆動装置、２・・・サスペンションワイヤ、２ａ・・・凹凸面、２ｂ・・・めっき層、３・・・レンズホルダ部、４・・・固定部材、５・・・対物レンズ、６・・・ワイヤ支持部、７・・・ホルダ、８・・・フォーカスコイル、９・・・トラッキングコイル、１０・・・ワイヤ支持部、１１・・・接着剤、１２・・・端子、１３・・・端子、１４・・・基板、１５・・・ヨークベース部、１５ａ・・・ヨーク、１６・・・マグネット、１７・・・溝部、１７ａ・・・段差部
【図１】
2004318922.tif 000004
【図２】
2004318922.tif 000005
【図３】
2004318922.tif 000006
【図４】
2004318922.tif 000007
【図５】
2004318922.tif 000008
【図６】
2004318922.tif 000009
【図７】
2004318922.tif 000010
【図８】
2004318922.tif 000011
【図９】
2004318922.tif 000012
【図１０】
2004318922.tif 000013